(57)【要約】【課題】  低コストで、且つかご内のレイアウトやデザインに影響を与えることなく広範囲の箇所で利用することができ、また緊急事態発生に迅速に対応することができるエレベータシステムを提供する。【解決手段】  エレベータのかご２０の、例えば床から１ｍ〜１．５ｍ程度の範囲で、かご周壁２０ａ〜２０ｃの各裏面（外面）に、安価で且つかご２０内の操作盤などのレイアウトやデザインに影響を与えないＥＭＦｉシート（電子・機械式フィルム）１１を貼り付ける。緊急事態発生時に利用者がかご２０内の壁を叩く等の方法により振動、衝撃を与えると、ＥＭＦｉシート１１が振動、衝撃による圧力を検知し、アナログ電圧を出力する。このアナログ電圧が所定のしきい電圧以上となったときに、かご内の監視カメラの稼働を開始させ、アラームを鳴動させ、かご２０を最寄階に停止させて戸開する。【選択図】  図２
2006341956.tif 000002
【特許請求の範囲】
【請求項１】
エレベータかご内の壁面パネルの裏面に配設されたフィルムセンサを備え、該フィルムセンサの検出出力が所定出力以上のときに所定の制御を行うことを特徴とするエレベータシステム。
【請求項２】
前記フィルムセンサは電子・機械式フィルムセンサから成ることを特徴とする請求項１に記載のエレベータシステム。
【請求項３】
前記所定の制御は、かご内監視カメラの稼働を開始させることである請求項１又は２に記載のエレベータシステム。
【請求項４】
前記所定の制御は、当該エレベータかごを最寄階に停止させて戸開することである請求項１又は２又は３に記載のエレベータシステム。
【発明の詳細な説明】
【技術分野】
【０００１】
本発明は、エレベータ内で緊急事態が発生したときに迅速に対応することができるエレベータシステムに関する。
【背景技術】
【０００２】
従来のエレベータシステムにおいては、エレベータ内で緊急事態が発生したときに、その緊急事態発生を外部の監視センター等へ知らせる手段として、例えば下記特許文献１に記載のように、かご内に設けられた非常ボタンを一定時間押し続ける方法が採用されていた。
【０００３】
またセキュリティの観点から、例えば監視カメラを常時稼働させることが行われていた。
【特許文献１】特開２００１−２３３９号公報
【発明の開示】
【発明が解決しようとする課題】
【０００４】
前記非常ボタンは、例えば図４に示す１のように、かご２内の操作パネル３に設けられている。この非常ボタン１を利用できる場所は操作パネル３に限られる。また非常ボタン１を取り付けることは、かご２内の操作パネル３などのレイアウトやデザインに影響を与えるとともに、一度取り付けた後にデザインを変更することは困難であった。さらに非常ボタン１の取付けコストは安価ではない。
【０００５】
また前述のように監視カメラを常時稼働させると、ランニングコストが高くなるとともに、録画情報の保存、確認に多大な労力を要してしまう。
【０００６】
また特許文献１に記載のエレベータ制御システムも含めて従来は、非常ボタンが一定時間以上押されて、例えば監視センター側で緊急事態発生が確認された後に、当該エレベータを最寄階へ停止させる等の制御がなされていたため、緊急事態発生に対する対応が遅いという問題点があった。
【０００７】
本発明は上記の点に鑑みてなされたものでその目的は、低コストで、且つかご内のレイアウトやデザインに影響を与えることなく広範囲の箇所で利用することができ、また緊急事態発生に迅速に対応することができるエレベータシステムを提供することにある。
【課題を解決するための手段】
【０００８】
上記課題を解決するための本発明のエレベータシステムは、エレベータかご内の壁面パネルの裏面に配設されたフィルムセンサを備え、該フィルムセンサの検出出力が所定出力以上のときに所定の制御を行うことを特徴としている。
【０００９】
また前記フィルムセンサは電子・機械式フィルムセンサから成ることを特徴としている。
【００１０】
また前記所定の制御は、かご内監視カメラの稼働を開始させることであり、また当該エレベータかごを最寄階に停止させて戸開することである。
【発明の効果】
【００１１】
（１）請求項１〜４に記載の発明によれば、フィルムセンサはエレベータかご内の壁面パネルの裏面に配設されるので、エレベータかご内の既存の操作盤などのレイアウトやデザインに影響を与えない。
【００１２】
また例えば本発明のフィルムセンサを取り付けた後に、前記操作盤などのレイアウトやデザインを何ら支障なく変更することができる。
【００１３】
またフィルムセンサは、振動、衝撃などの力を検出するが、エレベータかご内の壁面パネルの裏面に配設されているので、エレベータかご内の利用者が壁面パネルの表面に接触しただけでは誤動作しない。
【００１４】
またフィルムセンサは、振動、衝撃などの力によって起動されるため、従来の非常ボタンのように利用箇所が限定されず、エレベータ内の広範囲において利用することができる。
（２）請求項２〜４に記載の発明によれば、電子・機械式フィルムセンサは非常に安価であるためコストが低減される。例えば従来の加速度センサーと比較した場合、コスト半減が見込める。
【００１５】
また本発明では、電子・機械式フィルムセンサをエレベータかご内の壁面パネル、例えば鋼板の裏面に直接貼り付けるだけで良いので、既存のセンサと比較して、取り付けが容易であり、設置コストが削減できる。
【００１６】
また電子・機械式フィルムセンサは、ロール状で加工され製造されるので長手方向の自由度が高い。このためエレベータかご内の壁面パネルの裏面に容易に配設することができ、設置コストが削減できる。
【００１７】
また電子・機械式フィルムセンサは、付加加重帯域、すなわち加重変化を検出する範囲が極めて広いという特徴があるので、広範囲にわたって、エレベータかごに与えられた振動、衝撃の力を検出することができ、検出感度を高めることができる。
（３）請求項３、４に記載の発明によれば、フィルムセンサの検出出力が所定出力以上のときのみ、例えば緊急事態発生時にエレベータかご内の利用者が壁面パネルを叩く等の方法により振動が与えられたときのみ、かご内監視カメラが稼働されるので、ランニングコストを大幅に削減することができる。
【００１８】
また監視カメラを常時稼働することがないので、録画時間が短縮され、録画情報の保存、確認が著しく簡易化される。
【００１９】
またかご内監視カメラの稼働により、いたずら目的で使用された場合の証拠としても利用することができる。
【００２０】
またフィルムセンサが誤動作した場合でも、かご内監視カメラによって確認することができるため、フィルムセンサの感度を調整することができる。
（４）請求項４に記載の発明によれば、緊急事態発生時に、フィルムセンサに、所定検出出力以上となる振動、衝撃が与えられるだけで確実に、且つ即座に、エレベータかごは最寄階に停止し、戸開される。このため利用者の安全は迅速に確保され、利用者がかご内に長時間閉じ込められる等の事態は避けられる。
【発明を実施するための最良の形態】
【００２１】
以下、図面を参照しながら本発明の実施の形態を説明するが、本発明は下記の実施形態例に限定されるものではない。
【００２２】
図１は本実施形態例の要部ブロック図であり、１１は、エレベータかご内の壁面パネルの裏面に取り付けられ、振動、衝撃を検知するフィルムセンサ、例えば電子・機械式フィルム（Ｅｌｅｃｔｒｏ  Ｍｅｃｈａｎｉｃａｌ  Ｆｉｌｍ；以下ＥＭＦｉと称する）から成るＥＭＦｉシートである。
【００２３】
このＥＭＦｉシート１１の検出出力、すなわちアナログ電圧は電圧コンパレータ１２に入力されて所定のしきい電圧と比較される（尚実際には、前記ＥＭＦｉシート１１の出力電圧は小さいので、これを適宜アンプ等によって増幅した電圧としきい電圧とが比較される）。
【００２４】
前記検出アナログ電圧がしきい電圧を超えた瞬間、電圧コンパレータ１２の出力によってリモートスイッチ（ＲＳ）１３がオンし、エレベータコントローラ１４に振動検知信号が入力され、エレベータコントローラ１４は、後述する、エレベータかごを最寄階に停止させ戸開させる等の制御を行う。
【００２５】
前記ＥＭＦｉシート１１は、図２に示すようにかご２０の例えば床１ｍ〜１．５ｍ程度の範囲で、扉以外のかご周壁２０ａ〜２０ｃの各裏面（外面）に帯状に張りめぐらされている。すなわちかご周壁２０ａ〜２０ｃの鋼板に、かご外面から直接ＥＭＦｉシート１１を貼り付けている。
【００２６】
緊急事態発生時に、利用者がかご２０内の壁を叩く等の方法により振動、衝撃を与えると、ＥＭＦｉシート１１が振動、衝撃による圧力を検知する。尚ＥＭＦｉシート１１の取付け箇所以外の場所に振動を与えた場合も、ある程度の範囲であれば振動を検知することが可能である。
【００２７】
ＥＭＦｉシートは、圧力の変化により、振動、衝撃を感知することができるセンサーであり、現在例えば老人ホームにおいて床面に設置し、徘徊老人用のセンサーとして使用されている。
【００２８】
このＥＭＦｉシートは、フィンランド国立技術開発センターの化学部門によって１９９０年代初頭に開発されたものであり、図３に示すように、ポリプロピレン製のシートから成るエレメント用素材３１の両面に、導電性フィルム（電極シート）３２を張り合わせて構成される。
【００２９】
前記エレメント用素材３１は、内部に無数の空洞（バブル；平均直径例えば１μｍ）３３を形成したポリプロピレン製のシート（厚さ例えば約３０μｍ）に荷電を施し、前記空洞３３中に電荷をチャージしたものが用いられる。
【００３０】
前記導電性フィルム３２は、例えばポリエチレンフィルムの片面にスクリーン印刷などで導電性ペーストを塗布したものが用いられる。
【００３１】
このように構成されたＥＭＦｉシート１１に力（圧力）、振動を加えると、その力（圧力）、振動に比例して電荷が移動し、エレメント用素材３１の両面にある導電性フィルム３２に電位差が生じる。
【００３２】
このＥＭＦｉシートは非常に安価である。またこのＥＭＦｉシートはロール状で加工されるため長手方向の自由度が高く、エレベータかご内に容易に設置できる。このため設置コストを削減できる。さらに、付加加重帯域が極めて広いこと、対周波数応答の幅が極めて広いこと等が特徴として挙げられる。
【００３３】
次に図１のエレベータコントローラ１４に振動検知信号が入力されたときに該コントローラ１４が行う制御の一例について説明する。
（１）まず監視カメラの稼働を開始する。  
（２）同時にアラームを鳴動させ、緊急時であることをスピーチで乗客に知らせる。  
（３）エレベータを最寄階に停止させ戸開する。  
（４）通常より長いドアタイム（１５秒程度）で戸開を保持し、ドアタイム満了後戸閉する。  
（５）通常運転に復帰する。
（６）アラーム、スピーチ及び監視カメラ稼働を停止する。
【００３４】
上記のように、ＥＭＦｉシート１１（フィルムセンサ）の検出出力が所定出力以上のときのみ、例えば緊急事態発生時にエレベータかご内の利用者がかご２０のかご周壁２０ａ〜２０ｃを叩く等の方法により振動が与えられたときのみ、かご内監視カメラが稼働されるので、ランニングコストを大幅に削減することができる。
【００３５】
また監視カメラを常時稼働することがないので、録画時間が短縮され、録画情報の保存、確認が著しく簡易化される。
【００３６】
またかご内監視カメラの稼働により、いたずら目的で使用された場合の証拠としても利用することができる。
【００３７】
またＥＭＦｉシート１１が誤動作した場合でも、かご内監視カメラによって確認することができるため、ＥＭＦｉシート１１（フィルムセンサ）の感度を調整することができる。
【００３８】
また、緊急事態発生時に、ＥＭＦｉシート１１（フィルムセンサ）に、所定検出出力以上となる振動、衝撃が与えられるだけで確実に、且つ即座に、エレベータかごは最寄階に停止し、戸開される。このため利用者の安全は迅速に確保され、利用者がかご内に長時間閉じ込められる等の事態は避けられる。
【００３９】
尚、前記ＥＭＦｉシート１１の設置場所は、図２に示す設置場所に限らず、エレベータかご内の壁面パネルの裏面であればどこでも良い。またＥＭＦｉシート１１の大きさも図２の大きさに限定されない。
【図面の簡単な説明】
【００４０】
【図１】本発明の一実施形態例のブロック図。
【図２】本発明の一実施形態例を表し、ＥＭＦｉシート設置の一例を示すエレベータかごの斜視図。
【図３】本発明の電子・機械式フィルムセンサの一例を示す断面図。
【図４】従来のエレベータシステムにおいて設置された非常ボタンの一例を示す説明図。
【符号の説明】
【００４１】
１１…ＥＭＦｉシート
１２…電圧コンパレータ
１３…リモートスイッチ
１４…エレベータコントローラ
２０…かご
２０ａ〜２０ｃ…かご周壁
３１…エレメント用素材
３２…導電性フィルム
３３…空洞
【図１】
2006341956.tif 000003
【図２】
2006341956.tif 000004
【図３】
2006341956.tif 000005
【図４】
2006341956.tif 000006